(57)【要約】【課題】電磁偏向により電子線が通過する絞り穴の切り替えと、電子線の開き角の制御とを同時に行える走査電子顕微鏡を提供する。【解決手段】レンズギャップ１２１ａが電子源５０側に向いている第１のコンデンサレンズ１２１とレンズギャップ１２２ａが対物レンズ１３側に向いている第２のコンデンサレンズ１２２が電子源５０と対物レンズ１３との間に設置され、第１のコンデンサレンズ１２１の電子線通過開口内に第１の偏向手段１３３が配置されるとともに、第２のコンデンサレンズ１２２電子線通過開口内に第２の偏向手段１３６が配置されており、口径の異なる複数の孔１１３ａを有する絞り部材１１３が第１の偏向手段１３３と第２の偏向手段１３６との間に設けられ、電子線通過孔１０２ａを有する電子検出器１０２が第２の偏向手段１３６と対物レンズ１３との間に設けられている。【選択図】図３
2014063640.tif 000002
【特許請求の範囲】
【請求項１】
電子源から放出された電子線を対物レンズにより集束し、走査偏向器により試料上を走査させ、これにより試料から発生する被検出電子を検出する走査電子顕微鏡であって、レンズギャップが電子源側に向いている第１のコンデンサレンズとレンズギャップが対物レンズ側に向いている第２のコンデンサレンズが電子源と対物レンズとの間に設置され、第１のコンデンサレンズの電子線通過開口内に第１の偏向手段が配置されるとともに、第２のコンデンサレンズの電子線通過開口内に第２の偏向手段が配置されており、口径の異なる複数の孔を有する絞り部材が第１の偏向手段と第２の偏向手段との間に設けられ、電子線通過孔を有する電子検出器が第２の偏向手段と対物レンズとの間に設けられており、第１のコンデンサレンズによるレンズ作用を受けた電子線が第１の偏向手段の駆動に応じて偏向され、これにより絞り部材の複数の孔のうち選択された孔を該電子線が通過し、該孔を通過した電子線が、第２の偏向手段の駆動に応じて偏向されるとともに第２のコンデンサレンズによるレンズ作用を受け、これにより該電子線が電子検出器の電子線通過孔を通過して試料に到達することを特徴とする走査電子顕微鏡。
【請求項２】
第１の偏向手段及び第２の偏向手段は、それぞれ２段の偏向器から構成されることを特徴とする請求項１記載の走査電子顕微鏡。
【請求項３】
電子検出器は、第２コンデンサレンズの主面近傍に配置されていることを特徴とする請求項１又は２記載の走査電子顕微鏡。
【請求項４】
第２の偏向手段と電子検出器との間に、電子線通過孔が形成された制限絞り部材が設けられていることを特徴とする請求項１乃至３何れか記載の走査電子顕微鏡。
【請求項５】
制限絞り部材は、第２コンデンサレンズの主面近傍に配置されていることを特徴とする請求項４記載の走査電子顕微鏡。
【請求項６】
第１のコンデンサレンズによるレンズ場は、電子線に対して虚像結像となるように作用するとともに、第２のコンデンサレンズによるレンズ場は、電子線に対して実像結像となるように作用することを特徴とする請求項１乃至５何れか記載の走査電子顕微鏡。
【請求項７】
第１のコンデンサレンズによるレンズ場は、電子線に対して実像結像となるように作用するとともに、第２のコンデンサレンズによるレンズ場は、電子線に対して虚像結像となるように作用することを特徴とする請求項１乃至５何れか記載の走査電子顕微鏡。
【発明の詳細な説明】
【技術分野】
【０００１】
本発明は、電子線を試料上で走査することにより試料の走査像を取得する走査電子顕微鏡に関する。
【背景技術】
【０００２】
一般的な走査電子顕微鏡の構成を図１に示す。図１（Ａ）は、走査電子顕微鏡におけるレンズ配置を示し、図１（Ｂ）は、当該レンズ配置における電子線（電子ビーム）の軌道を示している。なお、電子線の軌道は、わかりやすくするために、角度を１０倍程度拡大して表現している。
【０００３】
電子源である電子銃５０は、エミッタ１、引出電極２及び加速電極３を備えている。引出電極２に印加された引出電圧によりエミッタ１から引き出された電子は、加速電極３に印加された加速電圧により加速され、電子線１ｂとして試料１４に向けて放出される。
【０００４】
電子銃５０と試料１４との間には、第１コンデンサレンズ１１、第２コンデンサレンズ１０１及び対物レンズ１３が配置されている。ここで、第２コンデンサレンズ１０１は、開き角制御レンズと呼ばれることもある。
【０００５】
第１コンデンサレンズ１１に対して試料１４側には、対物絞り１２が配置されている。また、第２コンデンサレンズ１０１に対して試料１４側には、電子検出器１０２が配置されている。これら対物絞り１２及び電子検出器１０２には、電子線が通過するための穴１２ａ，１０２ａが形成されおり、これらの穴１２ａ，１０２ａは電子光学系光軸１ａ上に位置している。
【０００６】
第１コンデンサレンズ１１は、試料１４に照射される電子線の電流値（照射電流値）を変化させる働きを有する。第２コンデンサレンズ１０１は、対物レンズ１３の収差に対して最適な電子光学系となるように電子線の軌道の調整を行う。図１（Ｂ）では、一例として、第１コンデンサレンズ１１の駆動を実像結像モード、第２コンデンサレンズ１０１の駆動を虚像結像モードとしている。
【０００７】
このようなレンズ系で電子線の照射電流値を変更する場合、第１コンデンサレンズ１１の励磁を変える（例えば、弱励磁にする）若しくは対物絞り１２の穴１２ａを手動で別の口径の穴に切り替えることとなる。このとき、第２コンデンサレンズ１０１の励磁状態も、試料１４上での電子線のプローブ径が最小となるように変更される。
【０００８】
また、他のレンズ配置の構成としては、図２に示すものもある。図２（Ａ）は、その走査電子顕微鏡におけるレンズ配置を示し、図２（Ｂ）は、当該レンズ配置における電子線の軌道を示している。なお、図２において、図１に示す構成要素と同様のものには、同一の番号が付されている。
【０００９】
図２に示す構成において、対物絞り１１３には口径の異なる複数の穴１１３ａが形成されている。そして、対物絞り１１３において電子線１ｂが通過する穴１１３ａを選択して切り替えるための偏向器１１１，１１２が、対物絞り１１３の上下に対応して配置されている。この場合、偏向器１１１，１１２及び対物絞り１１３は、電子銃５０に近い場所に配置されるのが望ましい。
【００１０】
上記何れのレンズ配置の例においても、電子検出器１０２は、電子光学系光軸１ａに沿った位置に配置されているので、電子線照射により試料１４から放出される電子は、電子検出器１０２によって検出されるまでに電子光学系のレンズ作用を受けることとなる。そのため、電子光学系設計においては、検出対象となる電子の挙動も同時に検討される必要がある。
【００１１】
このように電子光学系光軸１ａに沿った位置に配置される電子検出器は、電子光学系光軸１ａを基準（角度０°）とする放出角度の小さい（５〜３０°程度）の弾性散乱電子を検出するために用いられることが多い。ここで、試料１４から放出される電子は、その放出角度によって異なる球面収差の影響を受ける。
【００１２】
球面収差は、試料１４からの電子のうち放出角度が大きい電子に対して、より強い集束作用を発生させる収差である。よって、放出角度の小さい弾性散乱電子ほど球面収差による影響が小さくなり、試料１４に照射される電子線（一次電子線）の軌道と同様な軌道をとる。そのため、放出角度の小さい弾性散乱電子を検出するには、一次電子線の軌道が広がる位置に電子検出器を配置する必要がある。
【００１３】
従って、図１に示す構成では、電子検出器１０２は、対物レンズ１３に近づけることにより、放出角度が小さい散乱電子を効率良く検出することができる。このことは、図２に示す構成においても同様である。また、電子検出器１０２における穴１０２ａの穴径を小さくすることも、より放出角度の小さい弾性散乱電子を検出することにつながる。
【００１４】
なお、弾性散乱電子を検出する公知技術としては、例えば、米国特許第７４２５７０１号に記載がある。ただし、この公知技術は、検出対象として、エネルギーの小さい電子とエネルギーの大きい電子とを選別する方法であり、弾性散乱電子の検出角度についての記載はない。
【００１５】
また、特開２００８−１５３１５８号公報には、電子検出器とその後段に配置されたレンズの作用を利用して、検出対象となる電子を選別する方法が記載されている。
【先行技術文献】
【特許文献】
【００１６】
【特許文献１】米国特許第７４２５７０１号
【特許文献２】特開２００８−１５３１５８号公報
【発明の概要】
【発明が解決しようとする課題】
【００１７】
図１に示した例においては、対物絞り１２の穴１２ａを別の口径の穴に切り替えるためには、手動での対物絞り１２の駆動機構、調整機構が必要となる。また、当該装置を操作する操作者は、対物絞り１２を動かして穴１２ａを切り替えるごとに、該穴１２ａの軸調整を手動で行わなくてはならない。
【００１８】
これに対して、図２に示した例では、電子線が通過する対物絞り１１３の穴１１３ａの切り替えとその軸調整は、同一の偏向系による偏向作用によって行われるので、図１の例における手動操作による煩わしさは不要となる。
【００１９】
しかしながら、図２の例においては、対物絞り１１３及び偏向器１１１，１１２の配置に制約があるという問題がある。
【００２０】
すなわち、対物絞り１１３には複数の穴１１３ａが形成されており、対物絞り１１３が電子源から離れていると、対物絞り１１３に到達する電子線は広がることとなり、選択された穴１１３ａ以外の非選択の穴１１３ａを通過する電子線の割合が増えることとなる。そのため、対物絞り１１３及び偏向器１１１，１１２は、できるだけ電子源の近くに配置する必要がある。
【００２１】
しかし、図２の構成では、偏向器１１１の上側に第１コンデンサレンズ１１が位置しているので、対物絞り１１３及び偏向器１１１，１１２を、これ以上電子源側に配置することができない。
【００２２】
また、図２に示す例においては、第１コンデンサレンズ１１を実像モードで駆動することができない構成となっている。すなわち、図２の構成では、第１コンデンサレンズ１１が強励磁になると、その集束場と上側偏向器１１１の偏向場との間に干渉が起こり、当該集束場が当該偏向場に対して回転作用を与え、電子線の制御が困難となる。
【００２３】
これにより第１コンデンサレンズ１１の駆動が虚像モードに限定されるため、電子線の照射電流を増やすと、対物レンズ１３での開き角は小さくなる。分解能を上げるための開き角は、照射電流の増加に伴って大きくなるので、虚像結像モードとされた第１コンデンサレンズ１１に合わせて、下側偏向器１１２の後段に実像結像モードとされる第２コンデンサレンズを設けることも考えられる。
【００２４】
しかしながら、第１コンデンサレンズ１１と同様に、第２コンデンサレンズによる集束場と下側偏向器１１２による偏向場との干渉が発生する問題が生じるため、第２コンデンサレンズを配置するには、そのスペースを確保しなければならない。特に、この場合、第２コンデンサレンズは第１コンデンサレンズ１１よりも強励磁となるように駆動しなければならないので、それに対応する第２コンデンサレンズのスペース分だけ装置を長くしなければならない。
【００２５】
また、検出側において、電子検出器を試料側に近づけすぎると、放出角度の大きい弾性散乱電子や非弾性散乱電子を検出するための汎用検出器を別途配置できなくので、電子検出器の配置についての自由度はほとんどない。ここで、放出角度の小さい弾性散乱電子は、立体角が小さく、全体に対する信号割合が小さいので、上記汎用検出器により検出された電子による像も同時に取得できるほうが使い勝手が良くなって望ましい。
【００２６】
なお、電子検出器の穴径について、電子検出器の位置での電子線の広がりは数十μｍから数百μｍ程度であるが、それに対して実際に電子検出器に形成されている穴の穴径は、ｍｍオーダーである。これは、レンズの組み立て誤差や外乱などの影響で電子線が電子光学系光軸１ａから外れてしまうことを想定して、電子検出器の穴径を大きくして余裕をもたせている。
【００２７】
ここで、下側偏向器１１２は、軸調整について、電子線の対物レンズ１３に対する軸調整機能を有しており、電子線の電子検出器１０２（穴１０２ａ）に対する軸ずれを調整するために使用することはできない。電子検出器専用の軸調整機構をもたせると、装置の調整が煩雑となる。
【００２８】
本発明は、図２の構成に対して、第１コンデンサレンズ及び第２コンデンサレンズにおけるポールピースの形状を工夫することにより、各コンデンサレンズによる集束場と偏向器（偏向手段）による偏向場とが重ならないようにすることで、電磁偏向により電子線が通過する絞り穴の切り替えと、電子線の開き角の制御とを同時に行える走査電子顕微鏡を提供することを目的とする。
【００２９】
この場合、散乱ビーム制限絞りを組み合わせて使用することもできる。さらに、散乱制限絞りの機能を電子検出器にもたせることもでき、これにより放出角度の小さい弾性散乱電子を効率的に検出することができる。
【００３０】
なお、本発明と特許文献２に記載の発明との違いは、コンデンサレンズの集束作用を電子線の選別に利用しているか否かにあり、本発明においては、コンデンサレンズの集束作用の強弱によらずに放出角度の小さい弾性散乱電子を検出することができる点にある。さらに、特許文献２に記載の発明では、エネルギー選別が主であるのに対し、本発明は、角度選別が主となっている。
【課題を解決するための手段】
【００３１】
本発明に基づく走査電子顕微鏡は、電子源から放出された電子線を対物レンズにより集束し、走査偏向器により試料上を走査させ、これにより試料から発生する被検出電子を検出する走査電子顕微鏡であって、レンズギャップが電子源側に向いている第１のコンデンサレンズとレンズギャップが対物レンズ側に向いている第２のコンデンサレンズが電子源と対物レンズとの間に設置され、第１のコンデンサレンズの電子線通過開口内に第１の偏向手段が配置されるとともに、第２のコンデンサレンズの電子線通過開口内に第２の偏向手段が配置されており、口径の異なる複数の孔を有する絞り部材が第１の偏向手段と第２の偏向手段との間に設けられ、電子線通過孔を有する電子検出器が第２の偏向手段と対物レンズとの間に設けられており、第１のコンデンサレンズによるレンズ作用を受けた電子線が第１の偏向手段の駆動に応じて偏向され、これにより絞り部材の複数の孔のうち選択された孔を該電子線が通過し、該孔を通過した電子線が、第２の偏向手段の駆動に応じて偏向されるとともに第２のコンデンサレンズによるレンズ作用を受け、これにより該電子線が電子検出器の電子線通過孔を通過して試料に到達することを特徴とする。
【発明の効果】
【００３２】
本発明においては、第１のコンデンサレンズのレンズギャップが電子源側に向いているとともに、第２のコンデンサレンズのレンズギャップが対物レンズ側に向いており、第１及び第２の偏向手段が、それぞれ第１及び第２のコンデンサレンズの各電子線通過開口内に配置され、口径の異なる複数の孔を有する絞り部材が第１の偏向手段と第２の偏向手段との間に設けられている。
【００３３】
このような構成により、各コンデンサレンズによる集束場と各偏向手段による偏向場とが重ならないようにすることができ、両者の干渉を防ぐことができる。これによって、絞り部材において電子線が通過する孔の切り替えを良好に行えるとともに、該孔を通過した電子線の開き角の制御を適切に行うことができる。
【００３４】
さらに、第１及び第２のコンデンサレンズの電子線通過開口内に、それぞれ第１及び第２の偏向手段が配置されているので、装置の大型化を防ぐことができる。
【図面の簡単な説明】
【００３５】
【図１】従来技術における一般的な走査電子顕微鏡を示す概略構成図である。
【図２】従来技術における他の例の走査電子顕微鏡を示す概略構成図である。
【図３】本発明の第１実施例における走査電子顕微鏡を示す概略構成図である。
【図４】対物絞りの構成を示す平面図である。
【図５】コンデンサレンズの形状変化によるレンズ磁場変化を示す図である。
【図６】第１及び第２のコンデンサレンズによる集束レンズの位置を示す図である。
【図７】対物絞りにおける中央の穴が選択されたときの電子線の軌道を示す図である。
【図８】対物絞りにおける中央以外の穴が選択されたときの電子線の軌道を示す図である。
【図９】本発明の変形例における走査電子顕微鏡を示す概略構成図である。
【図１０】本発明の他の変形例における走査電子顕微鏡を示す概略構成図である。
【図１１】本発明の第２実施例における走査電子顕微鏡を示す概略構成図である。
【発明を実施するための形態】
【００３６】
以下、図面を参照して、本願発明について説明する。図３は、本願発明の第１実施例における走査電子顕微鏡を示す概略構成図である。図３（Ａ）は、当該走査電子顕微鏡におけるレンズ配置を示しており、図３（Ｂ）は、当該レンズ配置における電子線（電子ビーム）の軌道を示している。なお、図３において、図２に示す構成要素と同様のものには、同一の番号が付されている。
【００３７】
電子源である電子銃５０には、エミッタ１、引出電極２及び加速電極３が備えられている。引出電極２に印加された引出電圧によりエミッタ１から引き出された電子は、加速電極３に印加された加速電圧により加速され、電子線１ｂとして試料１３に向けて放出される。
【００３８】
電子銃５０と試料１４との間には、第１コンデンサレンズ１２１、第２コンデンサレンズ１２２及び対物レンズ１３が配置されている。第１コンデンサレンズ１２１の電子線通過開口１２１ｂ内には、２段の偏向コイル１３１，１３２からなる上側偏向器（上側偏向手段）１３３が配置されている。第２コンデンサレンズ１２２の電子線通過開口１２２ｂ内には、２段の偏向コイル１３４，１３５からなる下側偏向器（下側偏向手段）１３６が配置されている。
【００３９】
上側偏向器１３３と下側偏向器１３６との間には、対物絞り（絞り部材）１１３が配置されている。対物絞り１１３には、複数の穴（孔）１１３ａが形成されている。
【００４０】
図４に、対物絞り１１３の平面図を示す。同図に示すように、対物絞り１１３の中心には穴１１３ｂが形成されており、該穴１１３ｂの口径は、図示のごとく９０〜１２０μｍとされている。対物絞り１１３の中心は、電子光学系光軸１ａ上に位置している。
【００４１】
また、この対物絞り１１３において、中心位置（電子光学系光軸１ａの位置に相当）を中心とする同心円上となる位置には、別途４個の穴１１３ｃが形成されている。これら４個の穴１１３ｃの口径は異なる寸法となっており、それぞれ図示のごとく、１０〜３０μｍ、３０〜６０μｍ、６０〜９０μｍ、及び１２０〜１５０μｍとされている。
【００４２】
このように各穴の口径を変えておくことにより、該穴の選択に基づいて試料１４への電子線１ｂの照射電流値を変えることができる。
【００４３】
下側偏向器１３６の下段側には、散乱ビーム制限絞り（制限絞り部材）１２３が配置されている。散乱ビーム制限絞り１２３は、第２コンデンサレンズ１２２のレンズ主面付近に位置している。この散乱ビーム制限絞り１２３の中心には、穴１２３ａが設けられている。この穴１２３ａは、電子光学系光軸１ａ上に位置するようにされている。
【００４４】
さらに、散乱ビーム制限絞り１２３の下段側には、電子検出器１０２が配置されている。この電子検出器１０２の中心には、穴１０２ａが形成されている。この穴１０２ａも、電子光学系光軸１ａ上に位置するようにされている。
【００４５】
電子検出器１０２の下段側には、対物レンズ１３が位置している。この対物レンズ１３における電子線通過開口１３ａ内には、電子線１ｂを試料１４上で走査するための走査偏向器１３７が配置されている。
【００４６】
ここで、第１コンデンサレンズ１２１における磁極の形状は、通常のレンズ構成に対して変更されており、第１コンデンサレンズ１２１のレンズギャップ１２１ａが電子銃５０側に向くように構成されている。
【００４７】
また、同様に第２コンデンサレンズ１２２における磁極の形状にも変更が加えられており、第２コンデンサレンズ１２２のレンズギャップ１２２ａが対物レンズ１３側に向くように構成されている。
【００４８】
このようなコンデンサレンズの形状変更により、レンズ磁場は、図５に示すように変化する。同図において、図中右側に示す形状変更後のコンデンサレンズ（一部分表示）の磁場は、図中左側に示された形状変更前のコンデンサレンズ（一部分表示）の磁場に対して、そのピーク位置がレンズの外側（図の例では、下方）に移動することとなる。なお、図中右側に示す形状変更後のレンズは、図３における第２コンデンサレンズ１２２の構成を想定したものであり、第１コンデンサレンズ１２１の場合には、図５における当該形状変更後のレンズ構成の上下が逆転することとなる。
【００４９】
この結果、図６に示すように、第１コンデンサレンズ１２１による集束レンズの位置は、図中１４１で示した位置となり、第２コンデンサレンズ１２２による集束レンズの位置は、図中１４２で示した位置となる。
【００５０】
これにより、コンデンサレンズ１２１，１２２の電子線通過開口１２１ｂ，１２２ｂ内に偏向器１３３，１３６が配置されていても、上記各集束レンズの位置を偏向器１３３，１３６による偏向場から十分に離間させることができ、該集束レンズによるレンズ場と該偏向場との干渉を回避させることができる。なお、散乱ビーム制限絞り１２３の位置は、上述のごとく、第２コンデンサレンズ１２２による集束レンズの主面付近となっている。
【００５１】
電子銃５０から放出された電子線１ｂは、第１コンデンサレンズ１２１（レンズ場１４１）によるレンズ作用により集束され、さらに上側偏向器１３３による偏向作用によって電子光学系光軸１ａ上から偏向される。これにより、該電子線１は、対物絞り１１３において選択された何れかの穴１１３ａを通過することとなる。
【００５２】
そして、該穴１１３を通過した電子線１ｂは、下側偏向器１３６による偏向作用によって電子光学系光軸１ａ上に振り戻され、さらに第２コンデンサレンズ１２２（レンズ場１４２）によるレンズ作用により集束されて、散乱ビーム制限絞り１２３の穴１２３ａ及び電子検出器１０２の穴１０２ａを通過する。
【００５３】
ここで、対物絞り１１３において、その中心に位置する穴１１３ｂが選択された状態を図７に示す。この場合、電子銃５０から放出された電子線１ｂの大部分は、対物絞り１１３の中心に形成された穴１１３ｂを通過することとなる。
【００５４】
この穴１１３ｂを通過した電子線１ｂ（１ｃ）は、散乱ビーム制限絞り１２３の穴１２３ａ及び電子検出器１０２の穴１０２ａを通過し、試料１４に到達する。なお、対物絞り１１３における他の穴１１３ａを通過した一部の電子線１ｂ（１ｄ）は、散乱ビーム制限絞り１２３により遮蔽される。
【００５５】
一方、対物絞り１１３において、その中心から同心円上に位置する穴１１３ｃのうちの何れかの穴１１３ｄが選択された状態を図８に示す。この場合、電子銃５０から放出された電子線１ｂの大部分は、対物絞り１１３における該穴１１３ｄを通過することとなる。
【００５６】
この穴１１３ｄを通過した電子線１ｂ（１ｅ）は、散乱ビーム制限絞り１２３の穴１２３ａ及び電子検出器１０２の穴１０２ａを通過し、試料１４に到達する。ここで、対物絞り１１３における他の穴１１３ａを通過した一部の電子線１ｂ（１ｆ）は、散乱ビーム制限絞り１２３により遮蔽されることとなる。なお、図７及び図８においては、走査偏向器の図示は省略している。
【００５７】
次に、本発明における走査電子顕微鏡の動作について説明する。電子銃５０から放出された電子線１ｂは、上述のごとく、第１コンデンサレンズによる集束作用を受け、さらに上側偏向器１３３による偏向作用を受けて、これにより対物絞り１１３において選択された所定の穴１１３ａを通過する。
【００５８】
このときの第１コンデンサレンズ１２１の駆動条件は、図３（Ｂ）に示すごとく、虚像結像モードである。電子線１ｂによる試料１４への照射電流値が１０ｎＡｍのオーダであれば、第１コンデンサレンズ１２１の駆動条件は、虚像結像モードでも実現可能である。
【００５９】
選択された穴１１３ａを通過した電子線１ｂは、上述のごとく、下側偏向器１３６による偏向作用を受けて振り戻され、さらに第２コンデンサレンズによる集束作用を受けて、散乱ビーム制限絞り１２３（穴１２３ａ）及び電子検出器１０２（穴１０２ａ）を通過する。このときの第２コンデンサレンズ１２２の駆動条件は、実像結像モードである。
【００６０】
このようにして、電子検出器１０２を通過した電子線１ｂは、一次電子線として、対物レンズ１３により試料１４上で集束される。このとき、走査偏向器１３７は、試料１４上での集束電子線１ｂの走査を行う。
【００６１】
集束電子線１ｂの走査が行われた試料１４からは、弾性散乱電子や非弾性散乱電子などの電子が発生する。このうち、本発明において検出対象となる放出角度の小さい弾性散乱電子１５１は、対物レンズ１３により集束作用を受けながら上昇していき、電子検出器１０２により検出される。なお、検出側の動作については、第２コンデンサレンズ１２２を実像結像モードとしたときが、検出効率として最大の効果が得られることとなる。
【００６２】
この電子検出器１０２による検出信号と、電子線（集束電子線）１ｂの走査信号とに基づき、試料１４の像となる走査像が形成され、図示しない表示装置により該走査像が表示される。
【００６３】
なお、変形例として、第２コンデンサレンズの形状をさらに変更して、図９に示す第２コンデンサレンズ１５２の形状とすることもできる。同図における第２コンデンサレンズ１５２は、下側磁極片１５２ｂ，１５２ｃが下方に延長された構成となっている。これによりレンズギャップ１５２ａの位置が下側に移動している。
【００６４】
この結果、第２コンデンサレンズ１５２のレンズ位置が、上記例の場合に対応する１４２の位置から、さらに１４３の位置に移動する。これにより、第２コンデンサレンズ１５２による集束場と下側偏向器１３６による偏向場との干渉をより確実に回避することができ、第２コンデンサレンズ１５２による励磁をより強く動作させることができる。
【００６５】
また、上記の各例においては、散乱ビーム制限絞り１２３が第２コンデンサレンズ１２２のレンズ主面付近に設けられている。これに対して、さらに図１０に示す構成のように、散乱ビーム制限絞りを設けずに、電子検出器１０２を第２コンデンサレンズ１２２のレンズ主面付近に配置することもできる。この場合、電子検出器１０２の上面（電子銃５０側に向いている面）が、散乱ビーム制限絞りの役割を果たす。なお、図１０においては、走査偏向器の図示は省略している。
【００６６】
ここで、第２コンデンサレンズがどのような励磁状態でも、そのレンズ主面に位置は、大きく変化しない。よって、第２コンデンサレンズが実像結像モードで動作している限り、電子検出器１０２の位置がこの位置にあれば、放出角度の小さい弾性散乱電子が広がった状態で効率良く検出することができる。
【００６７】
さらに、上記の各例においては、第１コンデンサレンズを虚像結像モード、第２コンデンサレンズを実像結像モードとして駆動したが、図１１に示すように、第１コンデンサレンズを実像結像モード、第２コンデンサレンズを虚像結像モードとして駆動することもできる（第２実施例）。この場合、対物絞り１１３の穴１１３ａの選択切替えを行った状態での十分な分解能を得るために、各偏向器による偏向角が２５ｍｒａｄ以下となるように、対物絞り１１３における穴１１３ａの配置を設定することが望ましい。
【００６８】
このように、本発明における走査電子顕微鏡は、電子源５０から放出された電子線１ｂを対物レンズ１３により集束し、走査偏向器１３７により試料１４上を走査させ、これにより試料１４から発生する被検出電子１５１を検出する走査電子顕微鏡であって、レンズギャップ１２１ａが電子源５０側に向いている第１のコンデンサレンズ１２１とレンズギャップ１２２ａ（１５２ａ）が対物レンズ１３側に向いている第２のコンデンサレンズ１２２（１５２）が電子源５０と対物レンズ１３との間に設置され、第１のコンデンサレンズ１２１の電子線通過開口内に第１の偏向手段１３３が配置されるとともに、第２のコンデンサレンズ１２２（１５２）の電子線通過開口内に第２の偏向手段１３６が配置されており、口径の異なる複数の孔１１３ａを有する絞り部材１１３が第１の偏向手段１３３と第２の偏向手段１３６との間に設けられ、電子線通過孔１０２ａを有する電子検出器１０２が第２の偏向手段１３６と対物レンズ１３との間に設けられており、第１のコンデンサレンズ１２１によるレンズ作用を受けた電子線１ｂが第１の偏向手段１３３の駆動に応じて偏向され、これにより絞り部材１１３の複数の孔１１３ａのうち選択された孔１１３ａを該電子線１ｂが通過し、該孔１１３ａを通過した電子線１ｂが、第２の偏向手段１３６の駆動に応じて偏向されるとともに第２のコンデンサレンズ１２２（１５２）によるレンズ作用を受け、これにより該電子線１ｂが電子検出器１２３の電子線通過孔１２３ａを通過して試料１４に到達することを特徴とする。
【００６９】
第１の偏向手段１３３及び第２の偏向手段１３６は、それぞれ２段の偏向器から構成されている。電子検出器１０２は、第２コンデンサレンズ１２２（１５２）の主面近傍に配置することができる。
【００７０】
また、第２の偏向手段１３６と電子検出器１０２との間に、電子線通過孔１２３ａが形成された制限絞り部材１２３を配置することもできる。この場合、制限絞り部材１２３は、第２コンデンサレンズ１２２（１５２）の主面近傍に配置することができる。
【００７１】
第１のコンデンサレンズ１２１によるレンズ場は、電子線１ｂに対して虚像結像となるように作用するとともに、第２のコンデンサレンズ１２２（１５２）によるレンズ場は、電子線１ｂに対して実像結像となるように作用するよう各レンズを制御することができる。
【００７２】
一方、第１のコンデンサレンズ１２１によるレンズ場は、電子線１ｂに対して実像結像となるように作用するとともに、第２のコンデンサレンズ１２２（１５２）によるレンズ場は、電子線１ｂに対して虚像結像となるように作用するよう各レンズを制御することもできる。
【００７３】
本発明においては、第１及び第２コンデンサレンズ１２１，１２２（１５２）と偏向手段１３３，１３６とを組み合わせた電子光学系において、第１コンデンサレンズ１２１のレンズギャップ１２１ａの向きを電子源５０側にするとともに、第２コンデンサレンズ１２２（１５２）のレンズギャップ１２２ａ（１５２ａ）の向きを対物レンズ１３側にすることにより、装置サイズはコンパクトなまま集束場と偏向場が重畳しないようにすることができる。
【００７４】
また、散乱ビーム制限絞り５０がない場合には、対物絞り１１３は電子源５０の近くに配置する必要があったが、散乱ビーム制限絞り１２３を配置することにより、対物絞り１１３の配置の自由度が上がることとなる。この場合、散乱ビーム制限絞りは、電子検出器１０２により代用することもできる。
【００７５】
電子検出器１０２を第２コンデンサレンズ１２２（１５２）の主面近傍に配置することで、検出対象とされる放出角度の小さい弾性散乱電子が広がった状態で検出することができ、当該電子を効率良く検出することができる。
【符号の説明】
【００７６】
１…エミッタ、１ａ…電子光学系光軸、１ｂ…電子線、２…引出電極、３…加速電極、５０…電子銃（電子源）、１０２…電子検出器、１０２ａ…電子線通過孔、１１３…対物絞り（絞り部材）、１１３ａ…穴（孔）、１２１…第１コンデンサレンズ、１２１ａ…レンズギャップ、１２１ｂ…電子線通過開口、１２２…第２コンデンサレンズ、１２２ａ…レンズギャップ、１２２ｂ…電子線通過開口、１２３…散乱ビーム制限絞り（制限絞り部材）、１３３…上側偏向器（偏向手段）、１３６…下側偏向器（偏向手段）、１３７…走査偏向器、１５１…弾性散乱電子（被検出電子）、１５２…第２コンデンサレンズ、１５２ａ…レンズギャップ
【図１】
2014063640.tif 000003
【図２】
2014063640.tif 000004
【図３】
2014063640.tif 000005
【図４】
2014063640.tif 000006
【図５】
2014063640.tif 000007
【図６】
2014063640.tif 000008
【図７】
2014063640.tif 000009
【図８】
2014063640.tif 000010
【図９】
2014063640.tif 000011
【図１０】
2014063640.tif 000012
【図１１】
2014063640.tif 000013